(57)【要約】      （修正有）【課題】単一の同軸ケーブル上で４種混合信号を伝送する監視制御システムを提供する。【解決手段】単一の同軸ケーブル２０上で４種混合信号を伝送する監視制御システムは、第一送受信部１０と第二送受信部３０とを含む。第二送受信部３０には複数の第二入力装置４１と複数の第二出力装置４０とが接続され、第二送受信部３０は同軸ケーブル２０を通じて第一送受信部１０に接続される。第一送受信部１０には複数の第一入力装置１１と複数の第一出力装置１２とが接続される。異なる周波数帯を占有する高画質動画信号と音声信号と制御信号と電力信号とを含むキャリア信号を、周波数多重化して全二重モードで同軸ケーブル２０上で同時伝送することが可能になり、監視制御システムの構造的簡便性が向上し、構築コストを低減できる。【選択図】図１
0003210538.tif 000002
【実用新案登録請求の範囲】
【請求項１】
単一の同軸ケーブル上で４種混合信号を伝送する監視制御システムであって、
複数の第一入力装置と複数の第一出力装置とに接続される第一送受信部、
キャリア信号中の異なる周波数帯を占有する複数のデジタル信号と電力信号とを含み、かつ前記第一送受信部によって伝送される第一キャリア信号と第二キャリア信号とを含むキャリア信号を全二重モードで伝送するために用いられる同軸ケーブルであって、
前記第一送受信部に接続される第一端と、
第二端とを有する
同軸ケーブル、及び
前記同軸ケーブルの前記第二端と、複数の第二入力装置と、複数の第二出力装置とに接続され、前記デジタル信号を選択的に周波数多重化するとともに前記電力信号を前記第二キャリア信号に注入する第二送受信部を含み、
前記第二送受信部が、高画質動画信号と、音声信号と、制御信号とを含み前記第一送受信部によって周波数多重化された前記第一キャリア信号を受信すると、信号ダウンロードモードを実行して前記第一キャリア信号内の前記高画質動画信号と、前記音声信号と、前記制御信号とを周波数多重分離して復号し、さらに前記高画質動画信号と、前記音声信号と、前記制御信号とを対応する前記第二出力装置に提供し、
前記第一送受信部が、音声信号と、制御信号と、電力信号とを含む前記第二キャリア信号を受信すると、まず前記電力信号を抽出し、その後前記第二キャリア信号を周波数多重分離して復号して前記第二キャリア信号内の前記音声信号と前記制御信号とを取得し、前記第二キャリア信号内の前記音声信号と前記制御信号と前記電力信号とを対応する前記第一出力装置に提供することを特徴とする監視制御システム。
【請求項２】
前記第二送受信部が、対応する第二入力装置から音声信号と、制御信号と、電力信号とを受信すると、信号アップロードモードを実行して前記音声信号と制御信号とを周波数多重化し、前記電力信号を前記第二キャリア信号に注入し、さらに前記同軸ケーブルを通じて前記第二キャリア信号を前記第一送受信部に伝送し、
前記第一送受信部が、前記第二キャリア信号を受信すると、まず前記第二キャリア信号から前記電力信号を抽出し、その後前記第二キャリア信号を周波数多重分離して前記音声信号と前記制御信号とを取得し、その後対応する第一出力装置に前記音声信号と前記制御信号とを提供するとともに電力を供給することを特徴とする請求項１に記載の監視制御システム。
【請求項３】
前記第二送受信部が
前記同軸ケーブルの前記第二端に接続される第一接続ポートと、
前記第二出力装置と前記第二入力装置とに接続される第二接続ポートと、
前記第一接続ポートと前記第二接続ポートとに接続されるＡＶ（Ａｕｄｉｏ  ａｎｄ  Ｖｉｄｅｏ、音声および動画）処理モジュールと、
前記第一接続ポートと、前記ＡＶ処理モジュールと、前記第二接続ポートとに接続され、前記信号ダウンロードモードと前記信号アップロードモードとを実行するマイクロコントローラユニット（ＭＣＵ）と、
前記第一接続ポートと前記第二接続ポートとに接続される電力モジュールと、を含むことを特徴とする請求項２に記載の監視制御システム。
【請求項４】
前記ＡＶ処理モジュールが
前記第一接続ポートと前記ＭＣＵとに接続されるイコライザと、
前記第二接続ポートに接続される画像プロセッサと音声デコーダと、
前記イコライザと前記画像プロセッサと前記音声デコーダとに接続される動画デコーダと、を含むことを特徴とする請求項３に記載の監視制御システム。
【請求項５】
前記第一送受信部が
前記同軸ケーブルの前記第一端と接続される送信端、
第一出力部、及び
フィルタを有し、
前記フィルタが、前記第一送受信部の前記送信端に接続される入力端子と、
前記第一出力部に接続される出力端子とを有し、
前記第二送受信部が、
前記同軸ケーブルの前記第二端に接続される受信端、
第一入力部、及び
前記信号アップロードモードを実行して前記音声信号と前記制御信号と前記電力信号とで前記第二キャリア信号を変調し、前記同軸ケーブルを通じて前記第二キャリア信号を前記第一送受信部に伝送する変調部であって、
前記第一入力部に接続される入力端子と、
前記第二送受信部の前記受信端に接続される出力端子とを有する
変調部を有することを特徴とする請求項１に記載の監視制御システム。
【請求項６】
前記第一入力部がＰｅｌｃｏＤ／Ｐプロトコルに適合した生成器および音声増幅器のうちの１つであり、かつ、前記第一出力部がＰｅｌｃｏＤ／Ｐプロトコルに適合したドライバおよび音声復調器のうちの１つであることを特徴とする請求項５に記載の監視制御システム。
【請求項７】
前記変調部が第一ローパスフィルタであり、前記フィルタが第二ローパスフィルタであり、前記第一入力部が電圧調整器であり、前記第一出力部が変換器であることを特徴とする請求項６に記載の監視制御システム。
【請求項８】
前記第一送受信部が
デジタル信号生成器およびアナログデジタル変換器（ＡＤＣ）エンコーダのうちの１つである第二入力部と、
送信端とを有し、
前記第二送受信部が
前記第一送受信部の前記送信端に接続され、前記高画質動画信号と前記音声信号と前記制御信号とを変調して前記高画質動画信号と前記音声信号と前記制御信号とを前記第一キャリア信号に付加し、かつ、ＰｅｌｃｏＤ／Ｐプロトコルに適合したドライバおよびデジタルアナログ変換器（ＤＡＣ）デコーダのうちの１つである第二出力部と、
前記第二出力部に接続される受信端とを有することを特徴とする請求項１に記載の監視制御システム。
【請求項９】
前記高画質動画信号向けの伝送インターフェイスがＨｉｇｈ−ＤｅｆｉｎｉｔｉｏｎＣｏｍｐｏｓｉｔｅＶｉｄｅｏＩｎｔｅｒｆａｃｅ（ＨＤＣＶＩ）と、Ｈｉｇｈ−ＤｅｆｉｎｉｔｉｏｎＴｒａｎｓｐｏｒｔＶｉｄｅｏＩｎｔｅｒｆａｃｅ（ＨＤＴＶＩ）と、ＡｎａｌｏｇＨｉｇｈ−Ｄｅｆｉｎｉｔｉｏｎ（ＡＨＤ）とを含み、前記同軸ケーブルの信号インターフェイスがＥＸ−ＳＤＩ（ＥｘｔｅｎｄｅｄＳｅｒｉａｌＤｉｇｉｔａｌＩｎｔｅｒｆａｃｅ）を含み、前記制御信号がＣｏＣ（ＣｏｎｔｒｏｌＯｖｅｒＣａｂｌｅ）信号を含み、前記電力信号がＰｏＣ（ＰｏｗｅｒＯｖｅｒＣａｂｌｅ）信号を含むことを特徴とする請求項１に記載の監視制御システム。
【請求項１０】
前記高画質動画信号向けの伝送インターフェイスがＨＤＣＶＩとＨＤＴＶＩとＡＨＤとを含み、前記同軸ケーブルの信号インターフェイスがＥＸ−ＳＤＩを含み、前記制御信号がＣｏＣ信号を含み、前記電力信号がＰｏＣ信号を含むことを特徴とする請求項１から請求項９のいずれか１項に記載の監視制御システム。
【考案の詳細な説明】
【技術分野】
【０００１】
本考案は、監視制御システムに関する。さらに、本考案は、単一の同軸ケーブル上で４種混合信号を伝送する監視制御システムに関する。
【背景技術】
【０００２】
現在、監視制御システムの市場では、高画質アナログ監視制御システムが主流となりつつある。所謂「高画質」とは、最低解像度が７２０ピクセル以上の動画形式を意味する。高画質アナログ監視制御システム向けには、３種類の高画質技術、すなわちＨｉｇｈ−ＤｅｆｉｎｉｔｉｏｎＣｏｍｐｏｓｉｔｅＶｉｄｅｏＩｎｔｅｒｆａｃｅ（ＨＤＣＶＩ）、Ｈｉｇｈ−ＤｅｆｉｎｉｔｉｏｎＴｒａｎｓｐｏｒｔＶｉｄｅｏＩｎｔｅｒｆａｃｅ（ＨＤＴＶＩ）、およびＡｎａｌｏｇＨｉｇｈ−Ｄｅｆｉｎｉｔｉｏｎ（ＡＨＤ）が普及している。
【０００３】
利用者の立場からは、従来のアナログ監視制御システムをＣＶＩ、ＴＶＩ、ＡＨＤ等にアップグレードすることは、従来のアナログ監視制御システムに変更を加える必要がないため、設置および構築の面で難しい作業ではない。加えて、ＣＶＩ、ＴＶＩ、ＡＨＤ等は、通信に同軸ケーブルが用いられている環境にも適用可能である。このようなアップグレード可能性から、ＣＶＩ、ＴＶＩ、ＡＨＤ等は市場で広く受け入れられている。しかしながら、これらの高画質技術は互換性および機能性がいまだ十分でなく、ＣＶＩは同一の解像度を有する様々なアナログインターフェイスとの後方互換性がなく、ＴＶＩはＩＳＰ（ＩｍａｇｅＳｉｇｎａｌＰｒｏｃｅｓｓｏｒ）とＴＸ（送信）チップとを同時にサポートできない。その一方で、従来の監視制御技術で用いられている信号伝送手段およびシステム制御手段はそれぞれのケースで異なっている。例えば単一の同軸ケーブル上で通信を行う場合、動画信号と電力信号とは単一の同軸ケーブル上で伝送され、異なる伝送媒体上で通信を行う場合、動画信号と制御信号と電力信号とが異なる伝送媒体上で伝送される。
【０００４】
従来の監視制御技術では、すでに設置されている高画質アナログ監視制御システムとの統合が必要になった場合には構造上の不都合とコスト増大が伴い、また、信号伝送手段とシステム制御手段との統合がさらに必要になった場合には構築の困難度が増し予算支出も増大することから、用いられている動画形式にかかわらず信号伝送とシステムとの制御はカスタマイズの面で満足のいくものではない。
【考案の概要】
【考案が解決しようとする課題】
【０００５】
本考案は、単一の同軸ケーブル上で４種混合信号を伝送する監視制御システムを提供し、高画質動画信号と音声信号と制御信号と電力信号とを単一の同軸ケーブル上を同時に伝送されるキャリア信号に混合することで、構築を容易にしシステムのコストを低減することを目的とする。
【課題を解決するための手段】
【０００６】
上記の目的を達成するために、上記単一の同軸ケーブル上で４種混合信号を伝送する監視制御システムは、第一送受信部、同軸ケーブル、および第二送受信部を含む。
【０００７】
上記第一送受信部は、複数の第一入力装置と複数の第一出力装置とに接続される。
【０００８】
上記同軸ケーブルは、キャリア信号中の異なる周波数帯を占有する複数のデジタル信号と電力信号とを含むキャリア信号を全二重モードで同軸ケーブル上で伝送するために用いられる。上記キャリア信号は上記第一送受信部によって伝送される第一キャリア信号と第二キャリア信号とを含む。上記同軸ケーブルは第一端と第二端とを有する。上記第一端は上記第一送受信部に接続される。
【０００９】
上記第二送受信部は、上記同軸ケーブルの上記第二端と、複数の第二入力装置と、複数の第二出力装置とに接続され、上記デジタル信号と上記電力信号とを選択的に上記第二キャリア信号に混合する。
【００１０】
上記第二送受信部は、高画質動画信号と、音声信号と、制御信号とを含む上記第一キャリア信号を受信すると、信号ダウンロードモードを実行して上記第一キャリア信号を周波数多重分離して復号し上記第一キャリア信号内の上記高画質動画信号と、上記音声信号と、上記制御信号とを取得し、さらに上記高画質動画信号と、上記音声信号と、上記制御信号とを対応する上記第二出力装置に提供する。
【００１１】
上記第一送受信部は、音声信号と、制御信号と、電力信号とを含む上記第二キャリア信号を受信すると、まず上記電力信号を抽出し、その後上記第二キャリア信号を周波数多重分離および復号して上記第二キャリア信号内の上記音声信号と上記制御信号とを取得し、上記第二キャリア信号内の上記音声信号と上記制御信号と上記電力信号とを対応する第一出力装置に提供する。
【００１２】
上述の監視制御システムにおいて、第一送受信部には複数の第一入力装置と複数の第一出力装置とが接続されている。第一入力装置から高画質動画信号と音声信号と制御信号とを受信すると、第一送受信部は高画質動画信号と音声信号と制御信号とを第一キャリア信号に周波数多重化し、同軸ケーブルを通じて第一キャリア信号を第二送受信部に伝送する。同軸ケーブルの第一端から音声信号と制御信号と電力信号とを含む第二キャリア信号を受信すると、第一送受信部はまず第二キャリア信号から電力信号を抽出し、音声信号と制御信号とを周波数多重分離し、音声信号と制御信号とを対応する第一出力装置に提供し、電力を第一送受信部と第一入力装置と第一出力装置とに供給する。同軸ケーブルの第二端から第二キャリア信号を受信すると、第二送受信部は高画質動画信号と音声信号と制御信号とを第二キャリア信号から周波数多重分離して、高画質動画信号と音声信号と制御信号とを対応する第二出力装置に提供する。第二入力装置から音声信号と制御信号と電力信号とを受信すると、第二送受信部は音声信号と制御信号とを周波数多重化し電力信号を注入して第二キャリア信号を生成し、同軸ケーブルを通じて第二キャリア信号を第一送受信部へ伝送する。このように、第一キャリア信号と第二キャリア信号とを同じ同軸ケーブル上で同時に伝送することが可能になり、監視制御システムの構造的簡便性が向上し、構築コストを低減できる。
【図面の簡単な説明】
【００１３】
【図１】本考案に係る単一の同軸ケーブル上で４種混合信号を伝送する監視制御システムのシステム構成を示す機能ブロック図である。
【図２】図１の監視制御システムのシステム構成を示す別の機能ブロック図である。
【図３】本考案に係る単一の同軸ケーブル上を伝送される４種混合信号の信号強度と周波数を示すグラフである。
【図４】図１の監視制御システムによって実行される信号混合およびアップロードモードを示す動作機能ブロック図である。
【図５】図１の監視制御システムによって実行される信号挿入モードを示す動作機能ブロック図である。
【図６】図１の監視制御システムによって実行される別の信号混合およびアップロードモードを示す動作機能ブロック図である。
【考案を実施するための形態】
【００１４】
図１を参照すると、本考案に係る単一の同軸ケーブル上で４種混合信号を伝送する監視制御システムは、第一送受信部１０、同軸ケーブル２０、第二送受信部３０を含む。第一送受信部１０は複数の第一入力装置１１と複数の第一出力装置１２とに接続される。第二送受信部３０は複数の第二出力装置４０と複数の第二入力装置４１とに接続される。同軸ケーブル２０は、キャリア信号中の異なる周波数帯を占有する複数のデジタル信号および／または電力信号を含むキャリア信号を全二重モードで伝送するために用いられ、第一端と第二端とを有する。同軸ケーブル２０の第一端は第一送受信部１０に接続される。同軸ケーブル２０の第二端は第二送受信部３０に接続される。
【００１５】
第一送受信部１０によって周波数多重化された圧縮高画質動画信号と、圧縮音声信号と、制御信号とを含む第一キャリア信号を同軸ケーブル２０の第二端から受信すると、第二送受信部３０は信号ダウンロードモードを実行することで第一キャリア信号を周波数多重分離して圧縮高画質動画信号と、圧縮音声信号と、制御信号とを第一キャリア信号から取得し、さらに、圧縮高画質動画信号と圧縮音声信号とを解凍した後に、高画質動画信号と、音声信号と、制御信号とを対応する第二出力装置４０に提供する。
【００１６】
対応する第二入力装置４１から音声信号と、制御信号と、電力信号とを受信すると、第二送受信部３０は信号アップロードモードを実行することで音声信号を圧縮し、第二キャリア信号に音声信号と制御信号とを周波数多重化するとともに電力信号を注入（ｉｎｊｅｃｔ）し、さらに同軸ケーブル２０を通じて第二キャリア信号を第一送受信部１０に伝送する。第二キャリア信号を受信した後、第一送受信部１０は、まず第二キャリア信号から電力信号を抽出し、その後第二キャリア信号を周波数多重分離して圧縮音声信号と制御信号とを取得して、圧縮音声信号を解凍した後、対応する第一出力装置１２に音声信号と制御信号とを提供するとともに電力を供給する。
【００１７】
周波数分離多重化と電力信号の挿入（ｉｎｓｅｒｔ）により高画質動画信号と音声信号と制御信号と電力信号とを単一の同軸ケーブル上で同時伝送することで、監視制御システム全体の構造的簡便性向上とコスト削減が達成可能となる。
【００１８】
図２を参照すると、第一送受信部１０は複数の第一入力装置１１と複数の第一出力装置１２とに同時に接続され得て、第二送受信部３０は複数の第二入力装置４１と複数の第二出力装置４０とに接続され得る。第一入力装置１１はカメラ、マイク等を含み得る。第二入力装置４１はマイク、シリアル通信インターフェイス等を含み得る。第一出力装置１２または第二出力装置４０は、サイレン、スピーカ、シリアル通信インターフェイス、ディスプレイ、および動画レコーダを選択的に含み得る。本実施形態において同軸ケーブル２０は、同軸ケーブル２０を通じて上り方向および下り方向に同時伝送される圧縮高画質動画信号と圧縮音声信号と制御信号と電力信号とを含む第一キャリア信号と第二キャリア信号とに向けた複数のデジタル信号チャネルを有する。
【００１９】
第二送受信部３０は、第一接続ポート３１と、第二接続ポート３２と、ＡＶ（Ａｕｄｉｏ  ａｎｄ  Ｖｉｄｅｏ、音声および動画）処理モジュール３３と、マイクロコントローラユニット（ＭＣＵ）３４と、電力モジュール３５とを含む。第一接続ポート３１は同軸ケーブル２０の第二端に接続される。第二接続ポート３２は第二出力装置４０と第二入力装置４１とに接続される。ＡＶ処理モジュール３３は第一接続ポート３１と第二接続ポート３２とに接続される。
【００２０】
電力モジュール３５は、電力信号を受信するために第一接続ポート３１と第二接続ポート３２とに接続され、信号アップロードモードに従って電力信号を第二キャリア信号に挿入し、第一接続ポート３１と同軸ケーブル２０とを通じて第一送受信部１０と、第一入力装置１１と、第一出力装置１２とに動作電力を供給する。ＭＣＵ３４は第一接続ポート３１とＡＶ処理モジュール３３と第二接続ポート３２とに接続され、第一接続ポート３１と第二接続ポート３２とから制御信号を受信し、第二送受信部３０に含まれる対応するモジュールに制御信号を伝送する。
【００２１】
本実施形態において、ＡＶ処理モジュール３３はイコライザ３３１と動画デコーダ３３２と画像プロセッサ３３３と音声コーデック３３４とをさらに含む。動画デコーダ３３２はイコライザ３３１と画像プロセッサ３３３と音声デコーダ３３４とに接続される。イコライザ３３１は第一接続ポート３１とＭＣＵ３４とに接続される。画像プロセッサ３３３と音声デコーダ３３４とは第二接続ポート３２に接続される。イコライザ３３１は、動画デコーダ３３２へ送信された高画質動画信号と音声信号とを第一接続ポート３１から受信する。動画デコーダ３３２は圧縮高画質動画信号を復号してデジタル動画信号を取得して、画像プロセッサ３３３がデジタル動画信号を処理して高画質動画信号を第二接続ポート３２に伝送できるようにする。音声コーデック３３４は動画デコーダ３３２から音声信号を受信し、音声信号を解凍して第二接続ポート３２に伝送する。このようにして、第二接続ポート３２を通じて、高画質動画信号と音声信号とを対応する第二出力装置４０へとさらに伝送可能となる。
【００２２】
高画質動画信号向けの伝送インターフェイスには、Ｈｉｇｈ−ＤｅｆｉｎｉｔｉｏｎＣｏｍｐｏｓｉｔｅＶｉｄｅｏＩｎｔｅｒｆａｃｅ（ＨＤＣＶＩ）、Ｈｉｇｈ−ＤｅｆｉｎｉｔｉｏｎＴｒａｎｓｐｏｒｔＶｉｄｅｏＩｎｔｅｒｆａｃｅ（ＨＤＴＶＩ）、およびＡｎａｌｏｇＨｉｇｈ−Ｄｅｆｉｎｉｔｉｏｎ（ＡＨＤ）が含まれ得る。同軸ケーブル２０の信号インターフェイスには、ＥＸ−ＳＤＩ（ＥｘｔｅｎｄｅｄＳｅｒｉａｌＤｉｇｉｔａｌＩｎｔｅｒｆａｃｅ）が含まれ得る。
【００２３】
本実施形態において、制御信号はＣｏＣ（ＣｏｎｔｒｏｌＯｖｅｒＣａｂｌｅ）信号を含む。ＣｏＣ信号は周波数多重化された後、同軸ケーブル２０を通じて対応する第一入力装置１１にアップロードされる。電力信号はＰｏＣ（ＰｏｗｅｒＯｖｅｒＣａｂｌｅ）信号を含み、ＰｏＣ信号は同軸ケーブル２０を通じて、第一送受信部１０、第一入力装置１１、および第一出力装置１２へ電力を供給する。
【００２４】
図３を参照して、信号ダウンロードモードと信号アップロードモードとにおける、第一キャリア信号と第二キャリア信号とに周波数多重化された信号の周波数と信号強度を示す例を以下に説明する。この例において、横軸と縦軸はそれぞれ、第一キャリア信号又は第二キャリア信号の周波数と信号強度を示している。第一キャリア信号はＳ４で表され、信号ダウンロードモードにおいて圧縮高画質動画信号と、圧縮音声信号と、制御信号との組み合わせを含み、第二キャリア信号は信号アップロードモードで、圧縮音声信号Ｓ３と、制御信号Ｓ２と、電力信号Ｓ１との組み合わせで表される。第一キャリア信号Ｓ４、および第二キャリア信号のその他全ての信号Ｓ１、Ｓ２、Ｓ３の信号強度はＡであり、電力信号Ｓ１、制御信号Ｓ２、音声信号Ｓ３、および第一キャリア信号Ｓ４の周波数はそれぞれＦ１、Ｆ２、Ｆ３、およびＦ４で表され、それぞれ０Ｈｚ、６００ＫＨｚ、２．８ＭＨｚ、および２７０ＭＨｚである。
【００２５】
図４を参照すると、第一送受信部１０は送信端と、フィルタ１０１と、第一出力部１０２とを有する。第一送受信部１０の送信端は、同軸ケーブル２０の第一端に接続される。フィルタ１０１の入力端子は第一送受信部１０の送信端に接続される。フィルタ１０１の出力端子は第一出力部１０２に接続される。第二送受信部３０は受信端、変調部３０１、および第一入力部３０２を有する。第二送受信部３０の受信端は、同軸ケーブル２０の第二端に接続される。変調部３０１の入力端子は第一入力部３０２に接続される。変調部３０１の出力端子は第二送受信部３０の受信端に接続される。上述の信号アップロードモードの間、第一入力部３０２は制御信号またはデジタル音声信号を変調部３０１へ送信し、変調部３０１は制御信号またはデジタル音声信号を第二キャリア信号に追加し、第二キャリア信号はその後第一送受信部１０にアップロードされる。本実施形態において、第一入力部３０２はＰｅｌｃｏＤ／Ｐプロトコルに適合した生成器、又は音声増幅器であり、第一出力部１０２はＰｅｌｃｏＤ／Ｐプロトコルに適合したドライバ、または音声復調器である。
【００２６】
図５を参照すると、上述の信号ダウンロードモードを実行するために、第一送受信部１０は第二入力部１０３と送信端とを有し、第二送受信部３０は第二出力部３０３と受信端とを有する。第二入力部１０３は第一送受信部１０の送信端に接続される。第二出力部３０３は第二送受信部３０の受信端に接続される。第二入力部１０３は、高画質動画信号、音声信号、および制御信号を変調して第一キャリア信号に追加し、第一キャリア信号を送信端に送信しさらには同軸ケーブル２０を通じて第二送受信部３０の第二出力部３０３に伝送するために用いられる。本実施形態において、第二入力部１０３はデジタル信号生成器またはアナログデジタル変換器（ＡＤＣ）エンコーダであり、第二出力部３０３はＰｅｌｃｏＤ／Ｐプロトコルに適合したドライバまたはデジタルアナログ変換器（ＤＡＣ）デコーダである。
【００２７】
第一入力装置１１および第二入力装置４１から伝送される電力信号は、直流電力である。信号アップロードモードで第二キャリア信号に電力信号が挿入されるとき、図６を参照すると、図４における変調部３０１、フィルタ１０１、第一入力部３０２、および第一出力部１０２が、図６ではそれぞれ第一ローパスフィルタ３０４、第二ローパスフィルタ１０４、電圧調整器３０５、および変換器１０５に置き換えられている点を除き、信号アップロードモードの図示は図４のそれと同一である。以上の記載によれば、本考案に係る監視制御システムは、動画信号、制御信号、音声信号、および電力信号を、これらの信号が異なる周波数帯に位置されたキャリア信号の伝送により、全二重モードで同時に単一の同軸ケーブル上で伝送する。第一送受信部１０と、第一入力装置１１と、第一出力装置１２と、第二送受信部３０と、第二入力装置４１と、第二出力装置４０とで利用可能なフィルタは、異なる周波数の信号を抽出し信号取得の際に干渉がないことを確実にする。
【図１】
0003210538.tif 000003
【図２】
0003210538.tif 000004
【図３】
0003210538.tif 000005
【図４】
0003210538.tif 000006
【図５】
0003210538.tif 000007
【図６】
0003210538.tif 000008